(57)【要約】【課題】  つま先の装飾に多様な変化をもたせつつ、洋服や履き物とのコーディネートの自由度を向上させる。【解決手段】  足指を独立して包む吸湿性のあるカバー本体１１と、このカバー本体１１の後端開口に、その端部開口を縫製によって係着する略筒状の装飾布地部１５とからなり、前記カバー本体は、各足指の爪を露出させる先端開口を備える一方、前記装飾布地部は、つま先に向かって折り返したときに足指を被覆しない前後方向寸法を備える。折り返して使用する装飾布地部１５がカバー本体１１を隠してつま先部分を装飾するので、さまざまな色、模様、デザインの布地を装飾布地部として使用することにより変化に富んだつま先の装飾を行うことが出来る。【選択図】    図１
0003133775.tif 000002
【実用新案登録請求の範囲】
【請求項１】
足指を独立して包む吸湿性のあるカバー本体と、
このカバー本体の後端開口に、その端部開口を縫製によって係着する略筒状の装飾布地部とからなり、
前記カバー本体は、
五本の足指の爪を露出させる先端開口を備える一方、
前記装飾布地部は、
つま先に向かって折り返したときに足指を被覆しない前後方向寸法を備えることを特徴とするつま先装飾カバー。
【請求項２】
装飾布地部は、カバー本体よりも肉薄の布地によって成形することを特徴とする請求項１記載のつま先装飾カバー。
【考案の詳細な説明】
【技術分野】
【０００１】
本考案は、足指の先端、特に女性の足爪まわりをきれいに装飾するつま先の装飾カバーに関する。
【背景技術】
【０００２】
夏期のように暑い季節や職業上の理由から素足のままサンダルを履いたり、あるいは水泳時のように、素足を人目にさらす機会が増えるとき、爪の保護のためやファッション性を高める等の理由から、つま先を美しく見せるペディキュアを施すことがある。
【０００３】
このようなペディキュアは、単に足爪をカラーリングして装飾するだけでなく、ネールサロンなど専門家によるアドバイスに基づいて爪の健康を維持する上にも好ましい場合が少なくない。
【０００４】
従来、素足になったときに、つま先を装飾するための技術はペディキュア以外に行われていないのが実情である。
【特許文献１】なし
【考案の開示】
【考案が解決しようとする課題】
【０００５】
問題は、自分自身でペディキュアを施した場合にしろ、ネールサロン等に出向いてペディキュアをした場合にしろ、足の爪に施したカラーリングはきれいであっても、同じカラー、同じ模様が数日間続くため、洋服とのコーディネートやサンダルやミュール等、履き物とのコーディネートが難しい場合がある。
【０００６】
そこで、本願考案の目的は、つま先の装飾に多様な変化をもたせつつ、洋服や履き物とのコーディネートの自由度をより向上させることにある。
【課題を解決するための手段】
【０００７】
前記目的を達成して、課題を解決するため、本考案に係るつま先装飾カバーは、足指を独立して包む吸湿性のあるカバー本体と、このカバー本体の後端開口に、その端部開口を縫製によって係着する略筒状の装飾布地部とからなり、前記カバー本体は、各足指の爪を露出させる先端開口を備える一方、前記装飾布地部は、つま先に向かって折り返したときに足指を被覆しない前後方向寸法を備えるよう構成する。
【０００８】
この装飾カバーは、足指を独立して包む吸湿性のあるカバー本体を備えるので、装飾布地だけの場合よりも歩きやすく、足指まわりを常に衛生的に保つことが出来るとともに、折り返して使用する装飾布地部がカバー本体を隠してつま先部分を装飾するので、さまざまな色、模様、デザインの布地を装飾布地部として使用することにより変化に富んだつま先の装飾を行うことが出来る。また、つま先に装着する装飾布地部のデザイン、色、模様に変化を与えることにより、洋服や履き物のデザインや色、柄に応じたコーディネートの自由度も高まる。足のつま先に装飾布地だけを履いてもつま先の装飾は出来るが、装飾布地がずれたりよれたりするところ、五本指を包むカバー本体を設けてこれに装飾布地部を縫製するため、装飾布地部は、ずれたりよれたりし難くなる。
【０００９】
装飾布地部は、例えば絹やレース地など薄手の生地を使用するので、体温上昇を抑えて夏期でも快適な履き心地を保証することが出来る。とくに夏期には、体温上昇を防ぐためにも、装飾布地部はカバー本体よりも薄い布地を用いることが望ましい（請求項２）。
【考案の効果】
【００１０】
本考案に係るつま先装飾カバーによれば、装飾布地部の色、柄、模様、生地、デザインに変化をもたせることによってバラエティーに富んだ足指のつま先装飾を行うことが出来る。また、洋服や履き物との組み合わせの自由度も高めることが可能となる。
【考案を実施するための最良の形態】
【００１１】
図１は、本考案に係るつま先装飾カバーの一実施形態を示すものである。このつま先装飾カバー１０は、五本の足指を独立して包むカバー本体１１と、カバー本体１１の後端開口に、縫製によって取り付けた略筒状の装飾布地部１５とからなる。Ｓは縫製糸である。
【００１２】
カバー本体１１は、吸湿性の良い素材、例えば綿、麻、ウール等の布地を使って五本指のまわりと足指の付け根のまわりを包むよう成形し、独立して足指を包む足指包持部１２の先端をカットして先端開口１４を作り、各足指の爪が該先端開口１４をから突出して露出するようにする。
【００１３】
装飾布地部１５は、カバー本体１１よりも肉薄の布地、例えばレース地、絹、麻、化学繊維生地等を用いることが望ましい。この装飾布地部１５を薄くすることで、装着時の軽量感と、つま先の体温上昇を抑えるためである。
【００１４】
この装飾布地部１５は、装着後、つま先に向かって折り返して使用する。従って、折り返したときに、足指を被覆しないよう前後方向寸法を調整する。例えば、カバー本体１１の前後長を４ｃｍとすると、装飾布地部１５の前後方向寸法は４〜６ｃｍ程度に設定し、かつ、折り返したときに小指と薬指の付け根にあたる部分は斜めにカットして、他の指に較べて短い小指と薬指の爪がきちんと露出できるようにしておく。符号Ｃは、カットした傾斜部である。
【００１５】
カバー本体１１の前後長に較べて、装飾布地部１５の前後方向寸法を同一またはそれ以上とするのは、使用する生地の伸縮性に違いがあるためである。吸湿性を要するカバー本体１１は伸縮性のある生地を使うことが出来るが、装飾布地部１５は薄手の生地を使う場合があり、その場合は、生地の装飾性能を優先して伸縮率の少ない生地を使うことが多くなるからである。
【００１６】
従って、かかるつま先装飾カバー１０によれば、装着時には、例えば図２に示すように、先端開口１４から足指の爪Ｎを露出させつつ、カバー本体１１と装飾布地部１５を伸展させた状態で装着する。
【００１７】
そして、この状態から、図３に示すように、装飾布地部１５を折り返して、カバー本体１１の全体、好ましくは先端開口１４も隠れる状態で、足指の爪Ｎだけを露出する状態を作る。
【００１８】
このようにすれば、外からの見た目には、つま先部分が装飾布地部１５によって装飾され、足指の爪Ｎにペディキュアを施しているときは、その装飾とも相まって、足のつま先をより綺麗に飾ることが出来る。つま先を覆っている装飾布地部１５によってペディキュアも映えるし、ペディキュアをしていない場合でも装飾布地部１５の美しさを演出できる。
【００１９】
一方、カバー本体１１は五本の足指を被覆しており、吸湿性をもった素材を用いているため、足指の付け根の汗を吸収でき、汗ばむ季節でも皮膚の衛生を保つことが出来る。
【００２０】
また歩行時には、足指の付け根部分に体重がかかるが、体重がかかる足裏部分はカバー本体１１が覆っているので、ソックスと同様に若干の弾力と皮膚の保護作用があり、素足に較べれば歩行にも好ましい作用を営むことが出来る。
【００２１】
なお、本考案に係るつま先装飾カバーは、このような実施形態のものに限定されない。例えば、カバー本体１１には吸湿性がある限り伸縮性の少ない生地を用いても良いし、装飾布地部１５に吸湿性がある素材や伸縮性の高い素材を使用しても良い。
【００２２】
カバー本体１１の前後方向の寸法は特に限定されないが、後端部が、いわゆる土踏まずの前側あたりまであれば装飾品として実用に耐える。土踏まずの中間まであっても良いが、土踏まずの後方までカバー本体１１が被覆していると見た目に軽さがなくなり美的品質の点では好ましくない。
【００２３】
装飾布地部１５は、折り返したときの先端の形状（デザイン）を適宜変更することが出来る。図３には単純なカーブラインで示したが、ジグザグの凹凸ラインを設けるなどしてもよい。また装飾布地部１５に、軽量のアクセサリーを取り付けることも出来る。アクセサリーは立体物に限らずシールのような二次元のものでもよい。
【図面の簡単な説明】
【００２４】
【図１】実施形態に係るつま先装飾カバーを例示する断面図である。
【図２】図１のつま先装飾カバーを装着するときの第一の段階を例示する図である。
【図３】図１のつま先装飾カバーを装着するときの第二の段階を例示する図である。
【符号の説明】
【００２５】
１０  つま先装飾カバー
１１  カバー本体
１４  先端開口
１５  装飾布地部
Ｃ  （カットした）傾斜部
Ｎ  足指の爪
Ｓ  縫製糸
【図１】
0003133775.tif 000003
【図２】
0003133775.tif 000004
【図３】
0003133775.tif 000005